(57)【要約】【課題】  リモートコントローラにおいて、その電池ボックスの蓋体の形状や構成を変化させることなく、ボックス本体部側に一定の対策を講じるだけで蓋体の着脱操作性を改善することができるようにする。【解決手段】  ケース１に備わっている電池ボックス４が、ボックス本体部４０と蓋体５０とでなる。蓋体５０が、蓋板５１とその蓋板５１に具備させたフック部５２とを備え、係止片部４５に対するフック部５２の係脱動作が、蓋板５１の反り変形を通じて行われるようになっている。ボックス本体部４０に、蓋板５１に重なり合ってその蓋板５１を反り変形させるのに要する外力の大きさを調節するための蓋板支持片６を設ける。【選択図】        図５
0003122952.tif 000002
【実用新案登録請求の範囲】
【請求項１】
制御信号発信要素を収容したケースに備わっていて上記発信要素の駆動電源となる電池が着脱される電池ボックスが、電池収容スペースを形成するボックス本体部とこのボックス本体部に着脱される蓋体とに分割され、その蓋体が、上記ボックス本体部の電池出入口を覆う蓋板とその蓋板に具備されて上記ボックス本体部に形成された係止片部に係脱可能なフック部とを備え、上記係止片部に対するそのフック部の係脱動作が、上記蓋板に加えられる外力による当該蓋板の反り変形状態から初期形状への復帰変形と初期形状からの反り変形とを通じて行われるようになっているリモートコントローラにおいて、
上記フック部が上記蓋板の先端中央部に具備されていると共に、ボックス本体部に装着された蓋体の上記蓋板に重なり合ってその蓋板を反り変形させるのに要する外力の大きさを調節するための蓋板支持片が、ボックス本体部に装着された蓋体の上記フック部の形成箇所の側部で、ボックス本体部の上記電池出入口の口縁から突き出ていて、
その蓋板支持片の形成箇所で、その蓋板支持片が、上記電池出入口の幅寸法を、上記電池収容スペースに収容される電池の直径寸法よりも短くなるように狭めていることを特徴とするリモートコントローラ。
【請求項２】
制御信号発信要素を収容したケースに備わっていて上記発信要素の駆動電源となる電池が着脱される電池ボックスが、電池収容スペースを形成するボックス本体部とこのボックス本体部に着脱される蓋体とに分割され、その蓋体が、上記ボックス本体部の電池出入口を覆う蓋板とその蓋板に具備されて上記ボックス本体部に形成された係止片部に係脱可能なフック部とを備え、上記係止片部に対するそのフック部の係脱動作が、上記蓋板に加えられる外力による当該蓋板の反り変形状態から初期形状への復帰変形と初期形状からの反り変形とを通じて行われるようになっているリモートコントローラにおいて、
ボックス本体部に装着された蓋体の上記蓋板に重なり合ってその蓋板を反り変形させるのに要する外力の大きさを調節するための蓋板支持片が、上記ボックス本体部に設けられていることを特徴とするリモートコントローラ。
【請求項３】
上記蓋板支持片が、ボックス本体部に装着された蓋体の上記フック部の形成箇所の側部で、ボックス本体部の上記電池出入口の口縁から突き出ている請求項２に記載したリモートコントローラ。
【請求項４】
上記蓋板支持片の形成箇所で、その蓋板支持片が、上記電池出入口の幅寸法を、上記電池収容スペースに収容される電池の直径寸法よりも短くなるように狭めている請求項３に記載したリモートコントローラ。
【考案の詳細な説明】
【技術分野】
【０００１】
本考案は、駆動電源として電池が用いられるリモートコントローラ、特に、電池ボックスが、電池収容スペースを形成するボックス本体部とこのボックス本体部に着脱される蓋体とに分割されているリモートコントローラに関する。
【背景技術】
【０００２】
図６は一般的に汎用されている構成を備えるリモートコントローラの分解斜視図である。このリモートコントローラでは、縦長偏平箱形に形成されたケース１に、制御回路や光発信素子８１などを搭載した配線基板８と、この配線基板８に備わっている多くの常開接点のスイッチング動作を行うためのキートップ付きラバー９とが収容されるようになっていて、そのケース１がボトムケース２とトップケース３とを合わせることによって形成される。また、ケース１の一端部分は、ボトムケース２に具備されて上下両方向に開口する枠部４１とトップケース３に具備されて枠部４１の上側開口を塞ぐカバー部４２とでなるボックス本体部４０と、ボックス本体部４０に着脱されて枠部４１の下側開口を開閉するための蓋体５０とによって構成される電池ボックス４（後述する図１０、図１１を参照）として形成されている。そして、枠部４１とカバー部４２とを合わせることによって形成されたボックス本体部４０にあっては、枠部４１に備わっている縦長の仕切り梁４３によってその仕切り梁４３の両側に電池収容スペースＳ１，Ｓ２が区画形成されている。
【０００３】
図１０及び図１１は、電池ボックス４を、図６のＸ−Ｘ線に沿う箇所で切断したものに相応する縦断正面図である。これらの図によって判るように、ボックス本体部４０に蓋体５０を装着した状態では、蓋体５０の蓋板５１が、上記した電池収容スペースＳ１，Ｓ２の下側の開口を塞ぐようになっている。
【０００４】
一方、図６に示したように、蓋体５０は、上記した蓋板５１の先端中央部にフック部５２を備えているのに対し、蓋板５１の後端側の左右のコーナ部に内向き突片５３，５３を備えている。そして、蓋体５０をボックス本体部４０に装着したときには、内向き突片５３，５３が、枠部４１の後端側の左右のコーナ部に具備されている支え面４４，４４に乗り上がって支えられ、かつ、フック部５２が、枠部４１の前端中央部に設けられている係止片部（図６に表れていない）によって係止されるようになっている。
【０００５】
図７〜図９は、図６の矢視ＶＩＩ−ＶＩＩに相応する方向から見て枠部４１と蓋体５０とを示した縦断側面図である。図７〜図９によって判るように、上記フック部５２が、蓋板５１の先端との間に係合溝部５４を形成しているのに対し、この係合溝部５４が係脱される上記係止片部４５が枠部４１の前端中央部に設けられている。
【０００６】
以上のように構成されているリモートコントローラにおいて、電池交換を行うときには、蓋体５０が取り外されているボックス本体部４０の電池収容スペースＳ１，Ｓ２に、要求されている極性を合わせて図１０のように棒形の電池Ｂ１，Ｂ２を入れた後、同図のように蓋体５０をボックス本体部４０に装着する。そして、蓋体５０をボックス本体部４０に装着するときには、ボックス本体部４０の枠部４１に蓋体５０を合わせた状態でその蓋体４０を図７矢印Ａのようにスライドさせる。このようにすると、スライドによって係止片部４５にフック部５２が乗り上がって蓋板５１を反り変形させた後、フック部５２が係止片部４５を乗り越えることにより蓋板５１が反り変形状態からフラットな初期形状に復帰変形して同図のようにその係合溝部５４が係止片部４５に係合する。併せて、上記した内向き突片５３が支え面４４に乗り上がり、蓋体５０が枠部４１を介してボックス本体部４０に外れないように装着される。
【０００７】
これに対し、ボックス本体部４０から蓋体５０を取り外すときには、図８又は図１１に矢印Ｆで示したように、蓋板５１の先端部を手の指で押圧することにより蓋板５１を反り変形させてフック部５２を係止片部４５から浮き上がらせ、そうすることにより係合溝部５４を係止片部４５から離脱させる。この後、蓋体５０をスライドさせて後退させることによって支え面４５から内向き突片５３を離脱させ、図９のように蓋体５０を取り外す。
【０００８】
このようなリモートコントローラは、テレビジョン受像機やＤＶＤ装置といった各種の電気機器を遠隔制御することに汎用されている。
【０００９】
一方、従来より、リモートコントローラなどのリモコン装置などでは、乾電池や電池の逆極性による挿入を防止するための提案が多々行われている（たとえば、特許文献１、特許文献２、特許文献３、特許文献４参照）。
【特許文献１】特開平９−１４９４７９号公報
【特許文献２】実開平５−４５８９７号公報
【特許文献３】特開２００５−３１０４５９号公報
【特許文献４】特開２００２−９３３９４号公報
【考案の開示】
【考案が解決しようとする課題】
【００１０】
図６〜図１１を参照して説明したリモートコントローラでは、図７のようにボックス本体部４０の枠部４１に装着した蓋体５０を取り外すときには、図８又は図１１のように蓋体５０の蓋板５１を手の指で矢印Ｆのように押圧して反り変形させることにより、フック部５２を係止片部４５から浮き上がらせる操作を行うことが必要である。
【００１１】
しかしながら、蓋体５０にはボックス本体部４０とは別に成形された樹脂成形体が用いられるために、ボックス本体部４０に組み合わされる蓋体５０の蓋板５１の厚さなどには、ボックス本体５０ごとにある程度のばらつきが生じることがある。このため、蓋体５０の蓋板５１を反り変形させるのに必要な押圧力Ｆにもばらつきが生じ、ボックス本体部４０に組み合わされる蓋体５０によっては、フック部５２を係止片部４５から浮き上がらせる操作を行うときに、大きな押圧力を加える必要があるものや、非常に小さな押圧力を加えるだけで済むものなどが必然的に生じてしまい、このことが蓋体５０の着脱操作の難易に影響することになる。
【００１２】
そこで、そのような蓋体５０の着脱操作性を、それが組み合わされるボックス本体部４０に対して可及的一定に定めることによって、ボックス本体部４０に対する蓋体５０の装着安定性を高めることと併せて、蓋板５１が極端に小さな押圧力で反り変形して蓋体５０がボックス本体部４０から外れてしまうという事態を防止しておく必要がある。この要求に応える対策として、蓋体５０の形状や構成を変えることが考えられるけれども、蓋体５０の形状や構成を変えてその要求に応えることは容易ではない。
【００１３】
この点に関し、上掲の各特許文献は、乾電池又は電池の逆挿入などを未然に防ぐ対策を講じたものに過ぎないため、上記のような蓋体５０の着脱操作性を改善することに役立つものではない。
【００１４】
本考案は以上の状況の下でなされたものであり、蓋体の形状や構成を変化させることなく、ボックス本体部側に一定の対策を講じるだけで上記の要求に応え得る電池ボックスを備えたリモートコントローラを提供することを目的とする。
【００１５】
また、本考案は、上記要求に応え得ることに加えて、電池の後挿入を防ぐ機能をも発揮する電池ボックスを備えたリモートコントローラを提供することを目的とする。
【課題を解決するための手段】
【００１６】
本考案に係るリモートコントローラは、制御信号発信要素を収容したケースに備わっていて上記発信要素の駆動電源となる電池が着脱される電池ボックスが、電池収容スペースを形成するボックス本体部とこのボックス本体部に着脱される蓋体とに分割され、その蓋体が、上記ボックス本体部の電池出入口を覆う蓋板とその蓋板に具備されて上記ボックス本体部に形成された係止片部に係脱可能なフック部とを備え、上記係止片部に対するそのフック部の係脱動作が、上記蓋板に加えられる外力による当該蓋板の反り変形状態から初期形状への復帰変形と初期形状からの反り変形とを通じて行われるようになっている。
【００１７】
そして、ボックス本体部に装着された蓋体の上記蓋板に重なり合ってその蓋板を反り変形させるのに要する外力の大きさを調節するための蓋板支持片が、上記ボックス本体部に設けられている。
【００１８】
この考案によると、蓋板を反り変形させるのに要する外力（押圧力）の大きさが、ボックス本体部に装着された蓋体の蓋板とボックス本体部に設けられている蓋板支持片との重なり面積の広さに見合って変わる。具体的には、重なり面積が大きい場合には、重なり面積が小さい場合よりも、蓋板を反り変形させるのに必要な外力が大きくなると云える。したがって、ボックス本体部側の蓋板支持片の大きさを変えて上記の重なり面積を適切に調節するだけで蓋体の着脱操作性を改善することが可能になり、併せて、蓋板が極端に小さな押圧力で反り変形して蓋体がボックス本体から外れてしまうという事態も防止されるようになる。
【００１９】
本考案では、上記蓋板支持片が、ボックス本体部に装着された蓋体の上記フック部の形成箇所の側部で、ボックス本体部の上記電池出入口の口縁から突き出ているという構成を採用することが可能である。これによれば、蓋体を取り外すときの蓋板の押圧箇所が、フック部の形成箇所又はその形成箇所に近い箇所が予定されることから、蓋板支持片による蓋板を反り変形させるのに要する外力の大きさの調節作用を顕著に発揮させることができる。言い換えると、蓋板支持片をそれほど大きくしなくて済む。
【００２０】
本考案では、上記蓋板支持片の形成箇所で、その蓋板支持片が、上記電池出入口の幅寸法を、上記電池収容スペースに収容される電池の直径寸法よりも短くなるように狭めているという構成を採用することが望ましい。これによれば、蓋板支持片が、蓋板を反り変形させるのに要する外力の大きさの調節作用を発揮するだけでなく、電池収容スペースに電池を入れるときに、その電池の入れる向きを間違えるといった誤挿入のおそれが少なくなる。
【００２１】
本考案に係るリモートコントローラは、制御信号発信要素を収容したケースに備わっていて上記発信要素の駆動電源となる電池が着脱される電池ボックスが、電池収容スペースを形成するボックス本体部とこのボックス本体部に着脱される蓋体とに分割され、その蓋体が、上記ボックス本体部の電池出入口を覆う蓋板とその蓋板に具備されて上記ボックス本体部に形成された係止片部に係脱可能なフック部とを備え、上記係止片部に対するそのフック部の係脱動作が、上記蓋板に加えられる外力による当該蓋板の反り変形状態から初期形状への復帰変形と初期形状からの反り変形とを通じて行われるようになっているリモートコントローラにおいて、上記フック部が上記蓋板の先端中央部に具備されていると共に、ボックス本体部に装着された蓋体の上記蓋板に重なり合ってその蓋板を反り変形させるのに要する外力の大きさを調節するための蓋板支持片が、ボックス本体部に装着された蓋体の上記フック部の形成箇所の側部で、ボックス本体部の上記電池出入口の口縁から突き出ていて、その蓋板支持片の形成箇所で、その蓋板支持片が、上記電池出入口の幅寸法を、上記電池収容スペースに収容される電池の直径寸法よりも短くなるように狭めている、という構成を採用することによっていっそう具体化される。この考案の作用などは後述する実施形態を参照して詳細に説明する。
【考案の効果】
【００２２】
本考案によれば、蓋体の形状や構成を変化させることなく、ボックス本体部側に一定の対策を講じるだけで、冒頭で説明した要求に応え得る電池ボックスを備えたリモートコントローラを提供することが可能になり、併せて、電池の後挿入を防ぐ機能をも発揮させることが可能になるので、ユーザにとっては電池交換の際の蓋体の着脱操作を行いやすくなるという利点がある。また、蓋体が不慮にボックス本体から外れて電池が脱落するという事態が未然に防止される。
【考案を実施するための最良の形態】
【００２３】
図１は本考案の実施形態に係るリモートコントローラの要部を示した分解斜視図である。また、図２は枠部４１を下面側から見て示した平面図、図３は図２のＩＩＩ−ＩＩＩ線断面図、図４及び図５は、電池ボックス４を、図１のＩＶ−ＩＶ線に沿う箇所で切断したものに相応する縦断正面図である。
【００２４】
この実施形態のリモートコントローラは、電池ボックス４のボックス本体部４０に装着された蓋体５０の蓋板４１に重なり合ってその蓋板４１を反り変形させるのに要する外力（押圧力）の大きさを調節するための蓋板支持片６が、上記ボックス本体部に設けられているという点で、図６〜図１１を参照して説明したリモートコントローラと相違しているけれども、その他の点は図６〜図１１を参照して説明したリモートコントローラと同様である。すなわち、この実施形態のリモートコントローラは、図６〜図１１を参照して説明したリモートコントローラに対して上記蓋板支持片６を追加するという対策を講じたものである。したがって、以下では、説明の重複を回避するために、図６〜図１１の符号を指し示す要素にはそれと同一符号を付してある。
【００２５】
この実施形態において、上記した蓋板支持片６は、ボックス本体部４０の２つの電池収容スペースＳ１，Ｓ２に対して個別に配備されている。すなわち、片側の電池収容スペースＳ１に配備されている蓋板支持片６１は、ボックス本体部４０に装着された蓋体５０における蓋板５１の幅方向片側でその後端部に重なり合う位置に配備され、他側の電池収容スペースＳ２に配備されている蓋板支持片６２は、ボックス本体部４０に装着された蓋体５０における蓋板５１の幅方向片側でその先端部に重なり合う位置に配備されている。さらに具体的に説明すると、図２、図４又は図５のように、片側の蓋板支持片６１は、枠部４１の片側の電池収容スペースＳ１に対する電池出入口４６の後端側の口縁４７から突き出ているのに対し、他側の蓋板支持片６２は、係止片部４５の一側部、つまり、ボックス本体部４０に装着された蓋体５０のフック部５２の形成箇所の一側部で、枠部４１の電池出入口４８の前端側の口縁４９から突き出ている。そして、これらの蓋板支持片６１，６２は、それらの蓋板支持片６１，６２の形成箇所で電池出入口４６，４８の幅寸法を電池収容スペースＳ１，Ｓ２に収容される棒形の電池（乾電池）Ｂ１，Ｂ２の直径寸法よりも短くなるように狭めている。なお、図２には電池出入口４６，４８の幅方向を符号Ｗで示してある。
【００２６】
以上の構成を備えるリモートコントローラにおいて、ボックス本体部４０に蓋体５０を着脱する際には、ボックス本体部４０の係止片部４５に対する蓋体５０側のフック部５２の係脱動作を行わせる必要があり、そのような係脱動作は、蓋板５１に加えられる外力（押圧力Ｆ）による当該蓋板５１の反り変形状態から初期形状への復帰変形と初期形状からの反り変形とを通じて行われる（図４又は図５参照）。
【００２７】
この実施形態では、蓋板支持片６１，６２がボックス本体部４０の電池出入口４８，４９から突き出ているために、蓋板４１が蓋板支持片６１，６２との重なり箇所で反り変形しにくくなるだけでなく、その影響によって蓋板４１の全体も反り変形しにくくなるという作用が発揮される。そして、蓋板５１を反り変形させるのに要する外力としての押圧力Ｆの大きさは、蓋板５１と蓋板支持片６１，６２との重なり面積の広さに見合って変わり、重なり面積を大きくすると、蓋板５１を反り変形させるのに要する押圧力Ｆの大きさが大きくなり、その逆に、重なり面積を小さくすると、蓋板５１を反り変形させるのに必要な押圧力Ｆの大きさが小さくなる。このことから、蓋板支持片６１，６２の大きさを変えて上記の重なり面積を適切に調節するだけで蓋体５０の着脱操作性を改善することが可能になるということが云える。また、蓋板５１が極端に小さな押圧力で反り変形して蓋体５０がボックス本体部４０から外れてしまうという事態を防止することも可能になるということが云える。
【００２８】
この実施形態においてボックス本体部４０の枠部４１に追加されている２つの蓋板支持片６１，６２のうち、蓋板５１を反り変形させるの必要な押圧力Ｆの大きさに対しては、フック部５２に近い箇所に位置している他側の蓋板支持片６２が、片側の蓋板支持片６２よりも大きな影響を及ぼす。しかも、蓋体５０を取り外すときの蓋板５１の押圧箇所は、フック部５２の形成箇所又はその形成箇所に近い箇所が予定されていて、この実施形態では、その押圧箇所に図７〜図９に示したような操作箇所を示す凹凸面５５が形成されている。このことから、蓋板５１を反り変形させるのに要する押圧力Ｆの大きさの調節するときには、２箇所の蓋板支持片６１，６２のうち、他側の蓋板支持片６２の大きさを変えて蓋板５１との重なり面積を調節することが、片側の蓋板支持片６１の大きさを変えるよりも有効であるということが云える。また、他側の蓋板支持片６２の大きさを変える場合には、その蓋板支持片６２の幅（図２に示した口縁４９を起点とする内側への出幅）を増減することが、その長さを変えるよりも有効であるということが云える。
【００２９】
この実施形態のように、蓋板５１に対する蓋板支持片６１，６２の重なり面積の大きさによって蓋板５１を反り変形させるの必要な押圧力Ｆの大きさが変わるように構成されていると、ボックス本体部４０側の枠部４１に蓋板支持片６１，６２を一体に成形しておくだけで、蓋体５０の着脱操作性を、それが組み合わされるボックス本体４０に対して可及的一定に定めることができるようになり、蓋体５０の形状や構成を変化させる必要性がなくなる。このことは、電池ボックス４を備えるリモートコントローラの組立てラインでの量産性を損なわないことにもつながる。
【００３０】
この実施形態では、蓋板支持片６１，６２の形成箇所では、それらの蓋板支持片６１，６２によって、電池出入口４６，４８の幅寸法が電池Ｂ１，Ｂ２の直径寸法よりも短くなるように狭められている。このため、蓋板支持片６１，６２は、蓋板５１を反り変形させるのに要する押圧力Ｆの大きさの調節作用を発揮するだけでなく、電池収容スペースＳ１，Ｓ２に電池Ｂ１，Ｂ２を入れるときに、その電池の入れる向きを間違えるといった誤挿入のおそれを少なくすることにも役立っている。すなわち、図２のように、２つの蓋板支持片６１，６２が枠部４１の対角方向の２箇所に位置していることより、電池Ｂ１，Ｂ２（図４又は図５参照）をそれぞれの電池収容スペースＳ１，Ｓ２に入れるときに、電池Ｂ１，Ｂ２の陰極側端部を蓋板支持片６１，６２とカバー部４２（図４又は図５参照）との対向空間に挿入するように定めておけば、電池Ｂ１，Ｂ２を入れる向きを間違えるといった誤挿入のおそれが少なくなる。
【図面の簡単な説明】
【００３１】
【図１】本考案の実施形態に係るリモートコントローラの要部を示した分解斜視図である。
【図２】枠部を下面側から見て示した平面図である。
【図３】図２のＩＩＩ−ＩＩＩ線断面図である。
【図４】電池ボックスを図１のＩＶ−ＩＶ線に沿う箇所で切断したものに相応する縦断正面図である。
【図５】蓋板を反り変形させた状態での図４に相応する縦断正面図である。
【図６】一般的なリモートコントローラの分解斜視図である。
【図７】図６の矢視ＶＩＩ−ＶＩＩに相応する方向から見て枠部と蓋体とを示した縦断側面図である。
【図８】ボックス本体部から蓋体を離脱させるときの初期段階を示した図７に相応する縦断側面図である。
【図９】ボックス本体部から蓋体を離脱させた段階を示した図７に相応する縦断側面図である。
【図１０】電池ボックスを図６のＸ−Ｘ線に沿う箇所で切断したものに相応する縦断正面図である。
【図１１】蓋板を反り変形させた状態での図１０に相応する縦断正面図である。
【符号の説明】
【００３２】
１  ケース
４  電池ボックス
６，６１，６２  蓋板支持片
４０  ボックス本体部
４５  係止片部
４６，４８  電池出入口
５０  蓋体
５１  蓋板
５２  フック部
Ｂ１，Ｂ２  電池
Ｓ１，Ｓ２  電池収容スペース
Ｆ  押圧力（外力）
【図１】
0003122952.tif 000003
【図２】
0003122952.tif 000004
【図３】
0003122952.tif 000005
【図４】
0003122952.tif 000006
【図５】
0003122952.tif 000007
【図６】
0003122952.tif 000008
【図７】
0003122952.tif 000009
【図８】
0003122952.tif 000010
【図９】
0003122952.tif 000011
【図１０】
0003122952.tif 000012
【図１１】
0003122952.tif 000013